(57)【要約】【課題】冷風発生機と誘引気流発生機とを用いて、主たる通路空間より側部方向に延びる横方向領域空間を有効に冷却可能な作業施設用空調システムを提供する。【解決手段】空調システム１は、内部空間内に形成され、壁部５１，５２間に位置する縦方向領域５３と、縦方向領域より壁部方向に延びる複数の壁部側横方向領域５５を有する作業施設に用いられる。空調システム１は、縦方向領域の一方の側部側に設けられた送風ダクト２１の複数の冷風吐出部３付近に、冷風を吸引し、縦方向領域から他方壁部側横方向領域を流れる気流７１を形成する複数の誘引気流発生機４とを備える。誘引気流発生機４は、誘引気流吐出口４１を上下方向、横方向に調整可能に保持されている。送風ダクト２１の冷風吐出部３は、冷風吐出口３１の誘引気流発生機の吸引口４２への近接および両者が向かい合うように調整可能な吐出口位置調整機能３３を備えている。【選択図】図１
2015021689.tif 000002
【特許請求の範囲】
【請求項１】
一方側壁部と前記一方側壁部と向かい合う他方側壁部を備える内部空間と、前記内部空間内に形成され、前記２つの壁部間に位置しかつ前記壁部と同方向に延びる縦方向領域と、前記縦方向領域より前記他方側壁部方向に延びる複数の他方壁部側横方向領域とを有する作業施設用空調システムであって、
前記空調システムは、前記縦方向領域の一方の側部側に設けられた送風ダクトと、前記送風ダクトに冷気を供給する冷風発生機と、前記送風ダクトに設けられた複数の冷風吐出部と、各冷風吐出部の冷風吐出口付近に吸引口が位置するように配置され、前記冷風吐出口より吐出する冷風を吸引し、前記縦方向領域の前記一方の側部側から向かい合う他方の側部を通過し、前記他方壁部側横方向領域を流れる気流を形成する複数の誘引気流発生機とを備える他方側壁部方向冷風送気部を備え、
さらに、前記冷風送気部は、前記誘引気流発生機の誘引気流吐出口を上下方向および横方向に調整可能に保持する誘引気流発生機保持部を備え、前記送風ダクトの前記冷風吐出部は、前記冷風吐出口の前記誘引気流発生機の吸引口への近接および両者が向かい合うように調整可能な吐出口位置調整機能を備えていることを特徴とする作業施設用空調システム。
【請求項２】
一方側壁部と前記一方側壁部と向かい合う他方側壁部を備える内部空間と、前記内部空間内に形成され、前記２つの壁部間に位置しかつ前記壁部と同方向に延びる縦方向領域と、前記縦方向領域より前記一方側壁部方向に延びる複数の一方壁部側横方向領域と、前記縦方向領域より前記他方側壁部方向に延びる複数の他方壁部側横方向領域とを有する作業施設用空調システムであって、
前記空調システムは、前記縦方向領域の一方の側部側に設けられた第１の送風ダクトと、前記第１の送風ダクトに冷気を供給する冷風発生機と、前記第１の送風ダクトに設けられた複数の冷風吐出部と、前記冷風吐出部の冷風吐出口付近に吸引口が位置するように配置され、前記冷風吐出口より吐出する冷風を吸引し、前記縦方向領域の前記一方の側部側から向かい合う他方の側部を通過し、前記他方壁部側横方向領域を流れる気流を形成する複数の誘引気流発生機とにより構成される他方側壁部方向冷風送気部と、
前記縦方向領域の他方の側部側に設けられ、前記第１の送風ダクトと所定距離離間する第２の送風ダクトと、前記第２の送風ダクトに冷気を供給する冷風発生機と、前記第２の送風ダクトに設けられた複数の冷風吐出口と、前記冷風吐出口付近に吸引口が位置するように配置され、前記冷風吐出口より吐出する冷風を吸引し、前記縦方向領域の前記他方の側部側から向かい合う一方の側部を通過し、前記一方壁部側横方向領域を流れる気流を形成する複数の誘引気流発生機とにより構成される一方側壁部方向冷風送気部とを備え、
さらに、前記冷風送気部は、前記誘引気流発生機の誘引気流吐出口を上下方向および横方向に向き調整可能に保持する誘引気流発生機保持部を備え、前記送風ダクトの前記冷風吐出部は、前記冷風吐出口の前記誘引気流発生機の吸引口への近接および両者が向かい合うように調整可能な吐出口位置調整機能を備え、
そして、前記空調システムは、前記一方側壁部方向冷風送気部の前記誘引気流発生機の気流吐出口より吐出され、前記横方向領域を流れる一方側壁部方向気流と、前記他方側壁部方向冷風送気部の前記誘引気流発生機の気流吐出口より吐出され、前記横方向領域を流れる他方側壁部方向気流とが、実質的に当接しないように各前記誘引気流発生機の気流吐出口の向きが調整されていることを特徴とする作業施設用空調システム。
【請求項３】
前記一方側壁部方向冷風送気部の前記誘引気流発生機の気流吐出口と前記他方側壁部方向冷風送気部の前記誘引気流発生機の気流吐出口とが向かい合わないように、各前記誘引気流発生機の気流吐出口の向きが調整されている請求項２に記載の作業施設用空調システム。
【請求項４】
前記一方側壁部方向冷風送気部の前記誘引気流発生機の気流吐出口と前記他方側壁部方向冷風送気部の前記誘引気流発生機の気流吐出口は、前記縦方向領域の一端側から他端側に向かって、交互となるように配置されている請求項２または３に記載の作業施設用空調システム。
【請求項５】
前記空調システムは、前記第１の送風ダクトの末梢部と前記第２の送風ダクトの抹消部とを接続する接続ダクトを備えている請求項２ないし４のいずれかに記載の作業施設用空調システム。
【請求項６】
前記接続ダクトには、圧力調整部が設けられている請求項５に記載の作業施設用空調システム。
【請求項７】
前記誘引気流発生機は、前記冷風吐出口より吐出する冷風の９０％を越える冷風を吸引するとともに、さらに外気を吸引するものである請求項１ないし６のいずれかに記載の作業施設用空調システム。
【請求項８】
前記空調システムは、前記誘引気流発生機が、前記冷風吐出口より吐出する冷風の一部を吸引し、誘引気流を発生し、かつ、前記誘引気流発生機により吸引されない残部の冷気が、前記冷風吐出口より付近に拡散するものとし、前記誘引気流発生機は、前記冷風吐出口より吐出する冷風の５０％以上かつ９０％以下の冷風を吸引するものである請求項１ないし６のいずれかに記載の作業施設用空調システム。
【請求項９】
前記冷風吐出部の前記吐出口位置調整機能は、蛇腹状の変形可能部により構成されており、前記変形可能部は、前記冷風吐出口までの長さおよび高さを調整可能であり、かつ、前記冷風吐出口の上下方向および左右方向の向きを調整可能である請求項１ないし８のいずれかに記載の作業施設用空調システム。
【請求項１０】
前記空調システムは、前記送風ダクトとほぼ平行かつ前記冷風吐出口側に設けられたフレームを備え、前記誘引気流発生機は、前記誘引気流発生機保持部により前記フレームに取り付けられており、かつ、前記誘引気流発生機保持部は、前記フレームに水平方向に回動可能に取り付けられており、さらに、前記誘引気流発生機保持部は、前記誘引気流発生機を上下方向に回動可能に保持する回動可能保持部を備えている請求項１ないし９のいずれかに記載の作業施設用空調システム。
【請求項１１】
前記空調システムは、前記縦方向領域に誘引気流を送風する縦方向領域誘引気流形成部を備えており、前記縦方向領域誘引気流形成部は、前記送風ダクトに設けられた冷風吐出部と、前記冷風吐出部の冷風吐出口付近に吸引口が位置するように配置され、前記冷風吐出口より吐出する冷風を吸引し、前記縦方向領域を流れる縦方向領域方向誘引気流を形成させる誘引気流発生機とにより構成されている請求項１ないし１０のいずれかに記載の作業施設用空調システム。
【請求項１２】
前記作業施設は、天井に設けられた少なくとも１つの排気装置を備え、前記作業施設用空調システムは、前記排気装置に向かって流れる誘引気流発生機を備えている請求項１ないし１１のいずれかに記載の作業施設用空調システム。
【請求項１３】
前記冷風発生機は、水を用いた気化放熱式冷風発生機である請求項１ないし１２のいずれかに記載の作業施設用空調システム。
【請求項１４】
前記冷風発生機は、正面または上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された冷気を合わせて前記送風口に送る送風機とを備えている請求項１ないし１３のいずれかに記載の作業施設用空調システム。
【請求項１５】
前記誘引気流発生機は、吹出口風量の数倍以上の周辺空気を誘引することにより誘引気流を形成するものである請求項１ないし１４のいずれかに記載の作業施設用空調システム。
【発明の詳細な説明】
【技術分野】
【０００１】
本発明は、大空間を有し、室内に射出成形機等の発熱源が設置された工場施設等に用いられる作業施設用空調システムに関する。
【背景技術】
【０００２】
従来、工場等の室を冷却する気化放熱冷風装置として、室の一方側壁に設けた外気取り入れ口に送風機及び送風機の空気の送り出し側に設けた噴霧放水装置をもって構成し、噴霧状態で放出する水をもって空気を冷却する冷却装置と、室の他方側の屋根または側壁に設けた排気口に配設する、送られた冷風を吸引して室外に排出する換気扇を備えたものが案出されている（特許文献１参照）。
また、工場の内気送風方法と、この方法に使用する攪拌扇の構造として、工場の高温帯域に複数基の攪拌扇を配備し、第１の攪拌扇から第４の攪拌扇に順次送風し、この多数基の攪拌扇で、前記内気を順送するものが案出されている（特許文献２参照）。
さらに、室内換気システムとして、外気を清浄化し且つ気化熱を利用して冷却し、室内に取り込み、室内の空気を室外に排出するようになしたものが案出されている（特許文献３参照）。
【０００３】
また、本願出願人は、実用新案登録第３１４６５８２号公報（特許文献４）の空気流が流通可能な実質的に直線状に延びる通路空間を有する作業施設用空調システムを提案している。
この作業施設用空調システムは、空気流が流通可能な実質的に直線状に延びる通路空間を有する作業施設のためのものである。そして、この作業施設用空調システムは、冷風発生機１０と、冷風発生機により発生された冷風を吸引可能に作業施設の通路空間の一端側に配置され、通路空間の一端側より他端側に向かって流れる誘引気流を形成させる通路方向誘引気流発生機１１と、作業施設の天井部に配置される排気装置１２と、通路方向誘引気流発生機より通路空間の他端側でありかつ所定風速の誘引気流が流れる位置に配置され、誘引気流を吸引し、かつ、排気装置方向に向かって流れる排気用誘引気流を形成させる排気装置方向誘引気流発生機１３とを備える。
【先行技術文献】
【特許文献】
【０００４】
【特許文献１】特開平１０−４７８０７号公報
【特許文献２】特開２００８−５１３７７号公報
【特許文献３】特開２００２−３９５８５号公報
【特許文献４】実用新案登録第３１４６５８２号公報
【発明の概要】
【発明が解決しようとする課題】
【０００５】
近年気候の温暖化により外気温度が上がり、溶解炉等高温を発生する設備を設置してある作業施設では、施設内の温度が外気温度より高い厳しい環境にあり、この作業環境を改善するために、専用の空調設備を必要とするが、溶解炉等を設置してある大きな作業施設では膨大な費用がかかり多くの空調設備を設けることは現実的でない。
空調設備の代わりに気化放熱冷風装置、換気装置を備えたものとして、特許文献１の気化放熱冷風装置では、室の一方側壁に送風機を備えただけで広い作業施設の場合に冷風を行き渡らせることができず、かつ屋根または側壁にもうけた換気扇で吸引排出するが、広い室内に滞留する高温の空気を完全に室外に出すことができず、作業環境が悪くなるという問題があり、また、特許文献２の工場の内気送風方法では複数基の攪拌扇で内気を順送することが開示されているだけで導入フアンで導入する外気を攪拌扇で順送するだけであり、外気温が高い夏期に、高温となっている施設内に外気を順送しても室内の温度を下げることができず、さらに特許文献３で外気を清浄化し且つ気化熱を利用して冷却し、室内に取り込み、室内の空気を室外に排出することを開示しているが、これも室内の長い通路を冷風を移動する手段がなく、かつ室内に滞留する温度の高い空気を換気扇で排出が十分行えず、作業施設内の改善ができないなどの問題がある。
【０００６】
特許文献４のものでは、空気流が流通可能な実質的に直線状に延びる通路空間を有する作業施設には有効である。しかし、作業空間として、直線状に延びる通路空間を有するものの通路があまり長くなく、また、主たる通路空間より側部方向に延びる横方向領域空間を有する作業施設もある。この場合、作業施設の主たる通路空間よりも、横方向領域空間にて作業を行う場合が多く、このような横方向領域空間を冷却することが望まれる場合があった。
本発明の目的は、作業施設に冷風発生機と、冷風発生機からの冷風を誘因する誘引気流発生機とを用いて、主たる通路空間より側部方向に延びる横方向領域空間を有効に冷却することができる作業施設用空調システムを提供するものである。
【課題を解決するための手段】
【０００７】
上記目的を達成するものは、以下のものである。
（１）  一方側壁部と前記一方側壁部と向かい合う他方側壁部を備える内部空間と、前記内部空間内に形成され、前記２つの壁部間に位置しかつ前記壁部と同方向に延びる縦方向領域と、前記縦方向領域より前記他方側壁部方向に延びる複数の他方壁部側横方向領域とを有する作業施設用空調システムであって、
前記空調システムは、前記縦方向領域の一方の側部側に設けられた送風ダクトと、前記送風ダクトに冷気を供給する冷風発生機と、前記送風ダクトに設けられた複数の冷風吐出部と、各冷風吐出部の冷風吐出口付近に吸引口が位置するように配置され、前記冷風吐出口より吐出する冷風を吸引し、前記縦方向領域の前記一方の側部側から向かい合う他方の側部を通過し、前記他方壁部側横方向領域を流れる気流を形成する複数の誘引気流発生機とを備える他方側壁部方向冷風送気部を備え、
さらに、前記冷風送気部は、前記誘引気流発生機の誘引気流吐出口を上下方向および横方向に調整可能に保持する誘引気流発生機保持部を備え、前記送風ダクトの前記冷風吐出部は、前記冷風吐出口の前記誘引気流発生機の吸引口への近接および両者が向かい合うように調整可能な吐出口位置調整機能を備えている作業施設用空調システム。
【０００８】
また、上記目的を達成するものは、以下のものである。
（２）  一方側壁部と前記一方側壁部と向かい合う他方側壁部を備える内部空間と、前記内部空間内に形成され、前記２つの壁部間に位置しかつ前記壁部と同方向に延びる縦方向領域と、前記縦方向領域より前記一方側壁部方向に延びる複数の一方壁部側横方向領域と、前記縦方向領域より前記他方側壁部方向に延びる複数の他方壁部側横方向領域とを有する作業施設用空調システムであって、
前記空調システムは、前記縦方向領域の一方の側部側に設けられた第１の送風ダクトと、前記第１の送風ダクトに冷気を供給する冷風発生機と、前記第１の送風ダクトに設けられた複数の冷風吐出部と、前記冷風吐出部の冷風吐出口付近に吸引口が位置するように配置され、前記冷風吐出口より吐出する冷風を吸引し、前記縦方向領域の前記一方の側部側から向かい合う他方の側部を通過し、前記他方壁部側横方向領域を流れる気流を形成する複数の誘引気流発生機とにより構成される他方側壁部方向冷風送気部と、
前記縦方向領域の他方の側部側に設けられ、前記第１の送風ダクトと所定距離離間する第２の送風ダクトと、前記第２の送風ダクトに冷気を供給する冷風発生機と、前記第２の送風ダクトに設けられた複数の冷風吐出口と、前記冷風吐出口付近に吸引口が位置するように配置され、前記冷風吐出口より吐出する冷風を吸引し、前記縦方向領域の前記他方の側部側から向かい合う一方の側部を通過し、前記一方壁部側横方向領域を流れる気流を形成する複数の誘引気流発生機とにより構成される一方側壁部方向冷風送気部とを備え、
さらに、前記冷風送気部は、前記誘引気流発生機の誘引気流吐出口を上下方向および横方向に向き調整可能に保持する誘引気流発生機保持部を備え、前記送風ダクトの前記冷風吐出部は、前記冷風吐出口の前記誘引気流発生機の吸引口への近接および両者が向かい合うように調整可能な吐出口位置調整機能を備え、
そして、前記空調システムは、前記一方側壁部方向冷風送気部の前記誘引気流発生機の気流吐出口より吐出され、前記横方向領域を流れる一方側壁部方向気流と、前記他方側壁部方向冷風送気部の前記誘引気流発生機の気流吐出口より吐出され、前記横方向領域を流れる他方側壁部方向気流とが、実質的に当接しないように各前記誘引気流発生機の気流吐出口の向きが調整されている作業施設用空調システム。
【０００９】
（３）  前記一方側壁部方向冷風送気部の前記誘引気流発生機の気流吐出口と前記他方側壁部方向冷風送気部の前記誘引気流発生機の気流吐出口とが向かい合わないように、各前記誘引気流発生機の気流吐出口の向きが調整されている上記（２）に記載の作業施設用空調システム。
（４）  前記一方側壁部方向冷風送気部の前記誘引気流発生機の気流吐出口と前記他方側壁部方向冷風送気部の前記誘引気流発生機の気流吐出口は、前記縦方向領域の一端側から他端側に向かって、交互となるように配置されている上記（２）または（３）に記載の作業施設用空調システム。
（５）  前記空調システムは、前記第１の送風ダクトの末梢部と前記第２の送風ダクトの抹消部とを接続する接続ダクトを備えている上記（２）ないし（４）のいずれかに記載の作業施設用空調システム。
（６）  前記接続ダクトには、圧力調整部が設けられている上記（５）に記載の作業施設用空調システム。
（７）  前記誘引気流発生機は、前記冷風吐出口より吐出する冷風の９０％を越える冷風を吸引するとともに、さらに外気を吸引するものである上記（１）ないし（６）のいずれかに記載の作業施設用空調システム。
（８）  前記空調システムは、前記誘引気流発生機が、前記冷風吐出口より吐出する冷風の一部を吸引し、誘引気流を発生し、かつ、前記誘引気流発生機により吸引されない残部の冷気が、前記冷風吐出口より付近に拡散するものとし、前記誘引気流発生機は、前記冷風吐出口より吐出する冷風の５０％以上かつ９０％以下の冷風を吸引するものである上記（１）ないし（６）のいずれかに記載の作業施設用空調システム。
（９）  前記冷風吐出部の前記吐出口位置調整機能は、蛇腹状の変形可能部により構成されており、前記変形可能部は、前記冷風吐出口までの長さおよび高さを調整可能であり、かつ、前記冷風吐出口の上下方向および左右方向の向きを調整可能である上記（１）ないし（８）のいずれかに記載の作業施設用空調システム。
【００１０】
（１０）  前記空調システムは、前記送風ダクトとほぼ平行かつ前記冷風吐出口側に設けられたフレームを備え、前記誘引気流発生機は、前記誘引気流発生機保持部により前記フレームに取り付けられており、かつ、前記誘引気流発生機保持部は、前記フレームに水平方向に回動可能に取り付けられており、さらに、前記誘引気流発生機保持部は、前記誘引気流発生機を上下方向に回動可能に保持する回動可能保持部を備えている上記（１）ないし（９）のいずれかに記載の作業施設用空調システム。
（１１）  前記空調システムは、前記縦方向領域に誘引気流を送風する縦方向領域誘引気流形成部を備えており、前記縦方向領域誘引気流形成部は、前記送風ダクトに設けられた冷風吐出部と、前記冷風吐出部の冷風吐出口付近に吸引口が位置するように配置され、前記冷風吐出口より吐出する冷風を吸引し、前記縦方向領域を流れる縦方向領域方向誘引気流を形成させる誘引気流発生機とにより構成されている上記（１）ないし（１０）のいずれかに記載の作業施設用空調システム。
（１２）  前記作業施設は、天井に設けられた少なくとも１つの排気装置を備え、前記作業施設用空調システムは、前記排気装置に向かって流れる誘引気流発生機を備えている上記（１）ないし（１１）のいずれかに記載の作業施設用空調システム。
（１３）  前記冷風発生機は、水を用いた気化放熱式冷風発生機である上記（１）ないし（１２）のいずれかに記載の作業施設用空調システム。
（１４）  前記冷風発生機は、正面または上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された冷気を合わせて前記送風口に送る送風機とを備えている上記（１）ないし（１３）のいずれかに記載の作業施設用空調システム。
（１５）  前記誘引気流発生機は、吹出口風量の数倍以上の周辺空気を誘引することにより誘引気流を形成するものである上記（１）ないし（１４）のいずれかに記載の作業施設用空調システム。
【発明の効果】
【００１１】
本発明の作業施設用空調システムは、一方側壁部と一方側壁部と向かい合う他方側壁部を備える内部空間と、内部空間内に形成され、２つの壁部間に位置しかつ壁部と同方向に延びる縦方向領域と、縦方向領域より他方側壁部方向に延びる複数の他方壁部側横方向領域とを有する作業施設用空調システムである。そして、本発明の空調システムは、縦方向領域の一方の側部側に設けられた送風ダクトと、送風ダクトに冷気を供給する冷風発生機と、送風ダクトに設けられた複数の冷風吐出部と、各冷風吐出部の冷風吐出口付近に吸引口が位置するように配置され、冷風吐出口より吐出する冷風を吸引し、縦方向領域の一方の側部側から向かい合う他方の側部を通過し、他方壁部側横方向領域を流れる気流を形成する複数の誘引気流発生機とを備える他方側壁部方向冷風送気部を備え、さらに、冷風送気部は、誘引気流発生機の誘引気流吐出口を上下方向および横方向に調整可能に保持する誘引気流発生機保持部を備え、送風ダクトの冷風吐出部は、冷風吐出口の誘引気流発生機の吸引口への近接および両者が向かい合うように調整可能な吐出口位置調整機能を備えている。
このため、作業施設内の他方壁部側に延びる横方向領域を確実に冷却することができ、かつ、誘引気流発生機により生成される誘引気流は、縦方向領域を横切るため、縦方向領域もある程度冷却される。そして、この空調システムによれば、縦方向領域から他方の側壁に向かい、かつ側壁に向かうに従って暖気を徐々に含んでいく気流が形成されるため、良好に作業領域を冷却することができる。
【００１２】
また、本発明の作業施設用空調システムは、一方側壁部と一方側壁部と向かい合う他方側壁部を備える内部空間と、内部空間内に形成され、２つの壁部間に位置しかつ壁部と同方向に延びる縦方向領域と、縦方向領域より一方側壁部方向に延びる複数の一方壁部側横方向領域と、縦方向領域より他方側壁部方向に延びる複数の他方壁部側横方向領域とを有する作業施設用空調システムである。そして、本発明の空調システムは、縦方向領域の一方の側部側に設けられた第１の送風ダクトと、第１の送風ダクトに冷気を供給する冷風発生機と、第１の送風ダクトに設けられた複数の冷風吐出部と、冷風吐出部の冷風吐出口付近に吸引口が位置するように配置され、冷風吐出口より吐出する冷風を吸引し、縦方向領域の一方の側部側から向かい合う他方の側部を通過し、他方壁部側横方向領域を流れる気流を形成する複数の誘引気流発生機とにより構成される他方側壁部方向冷風送気部と、縦方向領域の他方の側部側に設けられ、第１の送風ダクトと所定距離離間する第２の送風ダクトと、第２の送風ダクトに冷気を供給する冷風発生機と、第２の送風ダクトに設けられた複数の冷風吐出口と、冷風吐出口付近に吸引口が位置するように配置され、冷風吐出口より吐出する冷風を吸引し、縦方向領域の他方の側部側から向かい合う一方の側部を通過し、一方壁部側横方向領域を流れる気流を形成する複数の誘引気流発生機とにより構成される一方側壁部方向冷風送気部とを備え、さらに、冷風送気部は、誘引気流発生機の誘引気流吐出口を上下方向および横方向に向き調整可能に保持する誘引気流発生機保持部を備え、送風ダクトの冷風吐出部は、冷風吐出口の誘引気流発生機の吸引口への近接および両者が向かい合うように調整可能な吐出口位置調整機能を備え、そして、空調システムは、一方側壁部方向冷風送気部の誘引気流発生機の気流吐出口より吐出され、横方向領域を流れる一方側壁部方向気流と、他方側壁部方向冷風送気部の誘引気流発生機の気流吐出口より吐出され、横方向領域を流れる他方側壁部方向気流とが、実質的に当接しないように各誘引気流発生機の気流吐出口の向きが調整されている。
一方側壁部方向冷風送気部の誘引気流発生機により生成される誘引気流と、他方側壁部方向冷風送気部の誘引気流発生機により生成される誘引気流は、互いに当接することなく、それぞれの横方向領域を流通するため、作業施設内の一方壁部側に延びる横方向領域および他方壁部側に延びる横方向領域を確実に冷却することができる。さらに、誘引気流発生機により生成される誘引気流は、縦方向領域を横切るため、縦方向領域もある程度冷却される。そして、この空調システムによれば、縦方向領域から両側壁に向かい、かつ側壁に向かうに従って暖気を徐々に含んでいく気流が形成されるため、良好に作業領域を冷却することができる。
【図面の簡単な説明】
【００１３】
【図１】図１は、本発明の作業施設用空調システムの一実施形態を示す平面図である。
【図２】図２は、図１に示した作業施設用空調システムにおける側壁部方向冷風送気部の構成を説明するための説明図である。
【図３】図３は、図２に示した作業施設用空調システムにおける冷風吐出部および誘引気流発生機付近の拡大図である。
【図４】図４は、図２に示した作業施設用空調システムにおける位置調整後の冷風吐出部および誘引気流発生機付近の拡大図である。
【図５】図５は、本発明の作業施設用空調システムの他の実施形態を示す平面図である。
【図６】図６は、図５に示した作業施設用空調システムにおける側壁部方向冷風送気部の構成を説明するための説明図である。
【図７】図７は、本発明の作業施設用空調システムの他の実施形態における側壁部方向冷風送気部の構成を説明するための説明図である。
【図８】図８は、本発明の作業施設用空調システムにおける排気装置用誘引気流発生機の配置形態の一例を説明するための説明図である。
【図９】図９は、図８に示した作業施設用空調システムにおける排気装置用誘引気流発生機の配置形態を説明するための説明図である。
【図１０】図１０は、本発明の作業施設用空調システムの他の実施形態を示す平面図である。
【図１１】図１１は、本発明の作業施設用空調システムの他の実施形態を示す平面図である。
【図１２】図１２は、本発明の作業施設用空調システムに用いられる冷風発生機の一例を説明するための説明図である。
【発明を実施するための形態】
【００１４】
本発明の作業施設用空調システムを図面に示した実施例を用いて説明する。
本発明の作業施設用空調システム１は、例えば、図１に示すように、一方側壁部５１と一方側壁部５１と向かい合う他方側壁部５２を備える内部空間と、内部空間内に形成され、２つの壁部５１，５２間に位置しかつ壁部５１，５２と同方向に延びる縦方向領域５３と、縦方向領域（具体的には、縦方向通路）５３より他方側壁部方向に延びる複数の他方壁部側横方向領域５５を有する作業施設用空調システムである。
空調システム１は、縦方向領域５３の一方の側部側に設けられた送風ダクト２１と、送風ダクト２１に冷気を供給する冷風発生機１１と、送風ダクト２１に設けられた複数の冷風吐出部３と、各冷風吐出部３の冷風吐出口３１付近に吸引口４２が位置するように配置され、冷風吐出口３１より吐出する冷風を吸引し、縦方向領域５３の一方の側部側から向かい合う他方の側部を通過し、他方壁部側横方向領域５５を流れる気流７１を形成する複数の誘引気流発生機４とを備える他方側壁部方向冷風送気部を備える。さらに、冷風送気部は、誘引気流発生機４の誘引気流吐出口４１を上下方向および横方向に調整可能に保持する誘引気流発生機保持部６を備え、送風ダクト２１の冷風吐出部３は、冷風吐出口３１の誘引気流発生機４の吸引口４２への近接および両者が向かい合うように調整可能な吐出口位置調整機能３３を備えている。
【００１５】
また、本発明の作業施設用空調システム１は、図１および図２に示すように、一方側壁部５１と一方側壁部５１と向かい合う他方側壁部５２を備える内部空間と、内部空間内に形成され、２つの壁部５１，５２間に位置しかつ壁部５１，５２と同方向に延びる縦方向領域（具体的には、縦方向通路、中央通路）５３と、縦方向領域５３より一方側壁部５１方向に延びる複数の一方壁部側横方向領域（具体的には、一方壁部側横方向通路）５４と、縦方向領域（縦方向通路）５３より他方側壁部５２方向に延びる複数の他方壁部側横方向領域（具体的には、他方壁部側横方向通路）５５とを有する作業施設用空調システムである。
そして、空調システム１は、縦方向領域５３の一方の側部側に設けられた第１の送風ダクト２１と、第１の送風ダクト２１に冷気を供給する冷風発生機（第１の冷風発生機）１１と、第１の送風ダクト２１に設けられた複数の冷風吐出部３と、冷風吐出部３の冷風吐出口３１付近に吸引口４２が位置するように配置され、冷風吐出口３１より吐出する冷風を吸引し、縦方向領域５３の一方側と向かい合う他方側を通過し、他方壁部側横方向領域５５を流れる気流７１を形成する複数の誘引気流発生機４とにより構成される他方側壁部方向冷風送気部を備える。さらに、空調システム１は、縦方向領域５３の他方の側部側に設けられ、第１の送風ダクト２１と所定距離離間する第２の送風ダクト２２と、第２の送風ダクト２２に冷気を供給する冷風発生機（第２の冷風発生機）１２と、第２の送風ダクト２２に設けられた複数の冷風吐出口３１と、冷風吐出口３１付近に吸引口４２が位置するように配置され、冷風吐出口３１より吐出する冷風を吸引し、縦方向領域５３の他方の側部側から向かい合う一方の側部を通過し、一方壁部側横方向領域５４を流れる気流７２を形成する複数の誘引気流発生機４とにより構成される一方側壁部方向冷風送気部を備える。
【００１６】
そして、第１および第２の冷風送気部は、誘引気流発生機４の誘引気流吐出口４１を上下方向および横方向に向き調整可能に保持する誘引気流発生機保持部６を備え、第１および第２の送風ダクト２１，２２の冷風吐出部３は、冷風吐出口３１の誘引気流発生機４の吸引口４２への近接および両者が向かい合うように調整可能な吐出口位置調整機能３３を備える。さらに、空調システム１は、一方側壁部方向冷風送気部の誘引気流発生機４の気流吐出口４１より吐出され、横方向領域を流れる一方側壁部方向気流７１と、他方側壁部方向冷風送気部の誘引気流発生機４の気流吐出口４１より吐出され、横方向領域を流れる他方側壁部方向気流７２とが、実質的に当接しないように各誘引気流発生機の気流吐出口の向きが調整されている。
【００１７】
本発明の作業施設用空調システム１は、図１および図２に示すように、略矩形状の内部空間を有する作業施設用空調システムである。
そして、この実施例の作業施設用空調システム１が適用される作業施設は、一方側壁部５１と一方側壁部５１と向かい合う他方側壁部５２を備える内部空間と、内部空間内に形成された縦方向領域（縦方向通路）５３と、縦方向領域５３より側壁部方向に延びる複数の横方向領域（具体的には、横方向通路）５４、５５を有している。そして、縦方向領域（縦方向通路）５３は、出入り口５０より、ほぼ直線的に出入り口５０と向かい合う壁部まで延びている。そして、この実施例における作業施設では、縦方向領域（縦方向通路）５３の一方の側部より、一方の壁部５１側に延びる複数の一方壁部側横方向領域（一方壁部側横方向通路）５４と、縦方向領域（縦方向通路）５３の他方の側部より、他方の壁部５２側に延びる複数の他方壁部側横方向領域（他方壁部側横方向通路）５５を有している。また、複数の一方壁部側横方向領域（一方壁部側横方向通路）５４は、それぞれがほぼ平行に形成されており、同様に、複数の他方壁部側横方向領域（他方壁部側横方向通路）５５も、それぞれがほぼ平行に形成されている。
【００１８】
そして、この実施例の作業施設用空調システム１は、図１ないし図２に示すように、他方側壁部方向冷風送気部（言い換えれば、第１の冷風送気部）と、一方側壁部方向冷風送気部（言い換えれば、第２の冷風送気部）を備える。
他方側壁部方向冷風送気部（言い換えれば、第１の冷風送気部）は、縦方向領域５３の他方の側部側に設けられた第１の送風ダクト２１と、第１の送風ダクト２１に冷気を供給する第１の冷風発生機１１と、第１の送風ダクト２１に設けられた複数の冷風吐出部３と、冷風吐出部３の冷風吐出口３１付近に吸引口４２が位置するように配置され、冷風吐出口３１より吐出する冷風を吸引し、縦方向領域５３の一方側から、向かい合う他方側を通過し、横方向領域５５を他方側壁部５２方向にかつ斜め下方に向かって流れる横方向領域流通他方側壁部方向気流７１を形成させる複数の誘引気流発生機４とを備える。
同様に、一方側壁部方向冷風送気部は、縦方向領域５３の他方の側部側に設けられ、第１の送風ダクト２１と所定距離離間する第２の送風ダクト２２と、第２の送風ダクト２２に冷気を供給する第２の冷風発生機１２と、第２の送風ダクト２２に設けられた複数の冷風吐出口３１と、冷風吐出口３１付近に吸引口４２が位置するように配置され、冷風吐出口３１より吐出する冷風を吸引し、縦方向領域５３の他方側から、縦方向領域５３の一方側を通過し、横方向領域５４を一方側壁部５１方向にかつ斜め下方に向かって流れる横方向領域一方側壁部方向気流７２を形成させる複数の誘引気流発生機４とを備えている。
この実施例の空調システム１では、他方側壁部方向冷風送気部と一方側壁部方向冷風送気部は、個々に冷風発生機を備えている。このようなものが好ましいが、第１の送風ダクト２１と第２の送風ダクト２２を連結し、１つのみの冷風発生機を備えるものとしてもよい。
【００１９】
冷風発生機１１，１２としては、水を用いた気化放熱式冷風発生機を用いることが好ましい。
この実施例にて用いられている気化放熱式冷風発生機１１，１２は、図１２に示すように、正面もしくは上面（この実施例では上面）に設けられたダクト接続口６１と、側面に設けられた吸気口とを有するハウジング８０と、吸気口の内側に配設され、下部に水を貯留するための貯留部８９を有する通気性収納部８４と、通気性収納部８４内に収納され、貯留部８９の水を散水パイプ８６に供給するための循環ポンプ８７と、散水パイプ８６によって散水された水の膜を形成する冷却エレメント８５とを備える冷却ユニット８３と、冷却ユニット８３の内側かつ送風口６２の下方に設けられ、冷却ユニット８３により冷却された冷気を送風口６２に送る送風機１３とを備えている。
【００２０】
特に、この実施例の気化放熱式冷風発生機１１，１２は、図１２に示すように、２つの冷却ユニットを備えている。具体的には、気化放熱式冷風発生機１１，１２は、上面に設けられた送風口６２と、向かい合う側面に設けられた２つの吸気口とを有するハウジング８０と、一方の吸気口の内側に配設され、下部に水を貯留するための貯留部８９を有する通気性収納部８４と、通気性収納部８４内に収納され、貯留部８９の水を散水パイプ８６に供給するための循環ポンプ８７と、散水パイプ８６によって散水された水の膜を形成する冷却エレメント８５とを備える第１の冷却ユニット８３ａと、他方の吸気口の内側に配設され、下部に水を貯留するための貯留部８９を有する通気性収納部８４と、通気性収納部８４内に収納され、貯留部８９の水を散水パイプ８６に供給するための循環ポンプ８７と、散水パイプ８６によって散水された水の膜を形成する冷却エレメント８５とを備える第２の冷却ユニット８３ｂと、第１の冷却ユニット８３ａと第２の冷却ユニット８３ｂ間かつ送風口６２の下方に設けられ、第１の冷却ユニット８３ａおよび第２の冷却ユニット８３ｂにより冷却された冷気を合わせて送風口６２に送る送風機１３とを備えている。
【００２１】
このような気化放熱式冷風発生機１１，１２では、送風機１３が作動することにより、吸気口より外気を発生機内に吸引し、吸引した外気が冷却ユニットの水と接触し、冷却ユニットを通過することにより、冷却され、冷気となる。そして、冷気は、ダクト接続口６１に送られ、ダクト２１，２２を通り、冷風吐出部３より吹き出される。気化放熱式冷風発生機１１，１２は、冷却ユニットを有するため、良好な冷気を内部にて作成でき、かつ、確実に送風ダクトに送気することができる。また、２つの冷却ユニットを有するものでは、より多くの冷気を内部に作成することができる。
【００２２】
さらに、この実施例の気化放熱式冷風発生機１１，１２は、背面に、貯留部８９と連通する水注入ポート３６および水ドレーンポート３７を備えている、さらに、各冷却ユニット８３ａ，８３ｂ内には、定期的に貯留部８９内の水を排出するためのドレーンポンプ（図示せず）を備えている。このため、貯留される水を清浄な状態のものとすることができる。
さらに、この実施例の気化放熱式冷風発生機１１，１２は、吸気口に設けられた吸気ルーバーパネル６３を備えている。また、吸気ルーバーパネル６３と冷却ユニット８３間には、冷却ユニット前フィルタ３８が配置されている。さらに、冷却ユニット８３と送風機１３間に位置する冷却ユニット後フィルタ８８を備えている、そして、送風機１３は、シロッコファン１５とそれを回転させるためのモータ１４を備えている。モータ１４とシロッコファン１５の回転軸に固定されたプーリー１７は、ベルト１６により連結されている。シロッコファンを用いることにより、多くの冷気を送気可能となっている。
【００２３】
第１の送風ダクト２１は、縦方向領域５３の一方側に設けられ、所定長延びるものとなっている。同様に、第２の送風ダクト２２は、縦方向領域５３の他方側に設けられ、所定長延びるものとなっている。第１の送風ダクト２１と第２の送風ダクト２２は、所定距離離間し、向かい合っている。
第１の送風ダクト２１および第２の送風ダクト２２は、下流方向（冷風発生機１１，１２より離間する方向）に向かって横断面積が段階的に小さくなるものが用いられている。そして、断面積が変化する部分より若干上流側（冷風発生機側）となる部位に、冷風吐出部３が設けられている。図１に示すものでは、送風ダクト２１，２２は、横断面積が減少する複数（具体的には、４つ）の段階部を持ち、各段階部の末梢部に冷風吐出部３が設けられている。
【００２４】
冷風吐出部３は、図３および図４に示すように、送風ダクト２１，２２の底面に接続された接続管３２と、接続管３２の先端部に設けられた吐出口位置調整機能３３と、吐出口位置調整機能３３の先端に設けられた冷風吐出口３１を備えている。そして、接続管３２としては、先端が湾曲したものが用いられており、湾曲した先端には、吐出口位置調整機能３３が接続されている。吐出口位置調整機能３３は、蛇腹状の変形可能部を備えている。そして、変形可能部は、図３および図４に示すように、冷風吐出部３１までの長さおよび高さを調整可能であり、かつ、冷風吐出部３１の上下方向および左右方向の向きを調整可能なものとなっている。冷風吐出部３は、図３および図４に示すように、送風ダクト２１，２２の底面に接続された接続管３２と、接続管３２の先端部に設けられた吐出口位置調整機能３３と、吐出口位置調整機能３３の先端に設けられた冷風吐出口３１を備えている。この吐出口位置調整機能３３を備えることにより、冷風吐出部３は、冷風吐出口３１の誘引気流発生機４の吸引口４２への近接および両者が向かい合うように調整可能なものとなっている。
【００２５】
そして、他方側壁部方向冷風送気部および一方側壁部方向冷風送気部は、複数の誘引気流発生機４を備えている。
誘引気流発生機４は、冷風吐出部３からの冷風を吸引して吹き出すとともに、周辺空気を誘引し、壁部５１または壁部５２方向に流れる誘引気流７１，７２を形成する。流れる誘引気流７１，７２は、周辺空気を誘引することにより加温されるものの冷風を含有するため、室温より冷たく、冷風を含有する誘引気流７１，７２は、作業施設５の横方向領域５４、５５に効率的に送られる。
誘引気流発生機４は、吹出口風量の数倍以上の周辺空気を誘引し、大きな空気流（誘引気流）を形成できるが好ましい。特に、誘引気流発生機４としては、吹出口風量の１０倍以上、特に好ましくは、１５倍以上の周辺空気を誘引し気流を形成するものであることが好ましい。誘引気流発生機４としては、本体ケーシングと、ケーシングに収納される電動ファンと、ケーシングに設けられ電動ファンにて吸込まれた空気を吹き出す吹き出しノズルにより構成され、電動ファンにより吸込まれてノズルから噴出する空気量により大空間の空気を移動可能なものが好適である。
【００２６】
また、使用する誘引気流発生機４が発生する誘引気流は、０．６ｍ／ｓの風速流が約３３ｍまで到達し、０．４ｍ／ｓの風速流が約４０ｍまで到達し、０．３ｍ／ｓの風速流が約５０ｍまで到達する。また、この実施例では、誘引気流発生機４は、冷風吐出部３１より吐出する冷風の９０％を越える冷風を吸引するとともに、さらに外気を吸引可能な誘引気流発生機４が選択されるともに、誘引気流発生機４の吸引口４２の位置、冷風吐出部３１の冷風吐出口の向きおよび位置が、図４に示すように調整されている。そして、冷風吐出口３１と誘引気流発生機４の吸引口４２間の空隙３４の距離は、冷風吐出部３より吐出される冷風の風量、誘引気流発生機４のパワーにより相違するが、１〜２５ｃｍが好ましく、特に３〜１５ｃｍが好ましい。
【００２７】
そして、図２に示すように、この実施例の空調システム１では、他方側壁部方向冷風送気部および一方側壁部方向冷風送気部において用いる誘引気流発生機４は、同じものを用いている。しかし、このようなものに限定されるものではなく、対象となる作業施設に応じて、例えば、図７に示す空調システム１ｂのように、他方側壁部方向冷風送気部に用いる誘引気流発生機と、一方側壁部方向冷風送気部において用いる誘引気流発生機４は、パワーが異なるものであってもよい。図７に示すものでは、一方側壁部方向冷風送気部において用いる誘引気流発生機４に比べて、他方側壁部方向冷風送気部に用いる誘引気流発生機４ａは、パワーが大きいものとなっている。そして、これに対応して、第２の送風ダクト２２を流通する冷気量も、第１の送風ダクト２１を流れるものより、多いものとなっている。このため、第２の送風ダクト２２の冷気吐出口３１から吐出される冷気量は、第１の送風ダクト２１の冷気吐出口３１から吐出される冷気量より多いものとなる。つまり、この実施例の空調システム１ｂでは、横方向領域５５を他方側壁部５２方向にかつ斜め下方に向かって流れる横方向領域流通他方側壁部方向気流７１より、横方向領域５４を一方側壁部５１方向にかつ斜め下方に向かって流れる横方向領域一方側壁部方向気流７２ａの方が、強い（流量が多い）気流となっている。
【００２８】
なお、誘引気流発生機４としては、冷風吐出口より吐出する冷風の９０％を越える冷風を吸引するとともに、さらに外気を吸引するものであることが好ましい。しかし、対象となる作業施設に応じて、空調システムは、誘引気流発生機４が、冷風吐出口より吐出する冷風の一部を吸引し、誘引気流を発生し、かつ、誘引気流発生機により吸引されない残部の冷気を冷風吐出口より付近に拡散させるものとしてもよい。この場合では、誘引気流発生機は、冷風吐出口より吐出する冷風の５０％以上かつ９０％以下の冷風を吸引するものであることが好ましい。この場合、特に、誘引気流発生機４は、冷風吐出部３より吐出する冷風の６０％以上かつ８０％以下の冷風を吸引するものであることが好ましい。さらに、このように冷風吐出口より冷風をある程度拡散させる場合には、冷風吐出口３１と誘引気流発生機４の吸引口４２間の距離は、冷風吐出部３より吐出される冷風の風量、誘引気流発生機４のパワーにより相違するが、３０〜１２０ｃｍが好ましく、特に５０〜１００ｃｍが好ましい。
【００２９】
そして、各冷風送気部は、誘引気流発生機４の誘引気流吐出口４１を上下方向および横方向に向き調整可能に保持する誘引気流発生機保持部６を備えている。具体的には、図１ないし図４に示すように、各冷風送気部は、誘引気流発生機設置用フレーム４４と、このフレーム４４を保持する脚部４８を備えている。そして、誘引気流発生機４は、保持部６により、フレーム４４に横方向（水平方向）に調整可能（回動可能）に取り付けられている。なお、フレーム４４内には、誘引気流発生機４に接続された電気ケーブル（図示せず）が収納されている。保持部６は、誘引気流発生機４を上下方向に調整可能（回動可能）に保持するコの字型の保持部材４３と締結部材４７を備えている。そして、保持部材４３の上部が、ボルト４５とナット４６によりフレーム４４に、横方向（言い換えれば、水平方向）に回動可能に保持されている。なお、ボルト４５の雄ねじを有するシャフト４５ａは、保持部材４３の内部において、ナット４６の雌ねじと螺合している。
【００３０】
そして、上記誘引気流発生機保持部６を調整することにより、誘引気流発生機４の誘引気流吐出口４１は、図３に示すように、縦方向領域５３の上部を横切り、いずれかの側部方向かつ斜め下方を向くようにセットされる。さらに、冷風吐出部３は、図３の状態から図４に示す状態となるように、吐出口位置調整機能３３を構成する蛇腹管を調整することにより、冷風吐出口３１は、誘引気流発生機４の吸引口４２に近接しかつ向かい合うように調整される。そして、この実施例では、冷風吐出部３としては、冷風吐出口３１の外径が、誘引気流発生機４の吸引口４２の内径より、小さいものが用いられている。これにより、両者間の位置調整を容易なものとしている。
【００３１】
そして、この実施例の空調システム１では、図１に示すように、他方側壁部方向冷風送気部の誘引気流発生機４の気流吐出口４１より吐出される横方向領域流通他方側壁部方向気流と、一方側壁部方向冷風送気部の誘引気流発生機４の気流吐出口４１より吐出される横方向領域流通一方側壁部方向流とが、実質的に当接しないように各誘引気流発生機４の気流吐出口４１の向きが調整されている。また、この実施例の空調システム１では、図１に示すように、他方側壁部方向冷風送気部の誘引気流発生機４の気流吐出口４１と、一方側壁部方向冷風送気部の誘引気流発生機４の気流吐出口４１が向かい合わないように向きが調整されている。
具体的には、図１に示すように、他方側壁部方向冷風送気部の誘引気流発生機４と、一方側壁部方向冷風送気部の誘引気流発生機４が、縦方向領域５３の一端側（言い換えれば、手前側、出入り口側）から他端側（言い換えれば、奥側）に向かって、交互（ジグザグ状）となるように配置されている。そして、斜めに向かい合う各誘引気流発生機４の誘引気流吐出口４１より吐出される誘引気流は、縦方向領域５３の上部を流れ、かつ、当接することなく異なる方向にて横切り、いずれかの壁部に到達するように流れる。このため、すべての誘引気流部は、縦方向領域を横切るため、その一部は、縦方向領域内に拡散するため、縦方向領域もある程度冷却される。
【００３２】
そして、本発明の作業施設用空調システムは、図１１に示すような空調システム１ｄであってもよい。この実施例の空調システム１ｄと上述した空調システム１との相違は、冷風送気部（壁部方向冷風送気部）が１つのみである点、および作業用施設内の通路形態が異なる点のみである。
この実施例の作業施設用空調システム１ｄは、略矩形状の内部空間を有する作業施設用空調システムである。具体的には、一方側壁部５１と一方側壁部５１と向かい合う他方側壁部５２を備える内部空間と、内部空間内かつ一方の壁部側に形成された縦方向通路５３と、縦方向通路５３より他方の側壁部方向に延びる複数の横方向領域５５を有する作業施設用空調システムである。そして、空調システム１ｄは、送風ダクト２１と、送風ダクト２１に冷気を供給する冷風発生機１１と、送風ダクト２１に設けられた複数の冷風吐出部３と、各冷風吐出部３の冷風吐出部３１付近に吸引口４２が位置するように配置され、冷風吐出部３１より吐出する冷風を吸引し、縦方向通路５３を横切り、横方向領域５５を他方側壁部５２方向に流れる横方向領域壁部方向気流を形成させる複数の誘引気流発生機４とを備える冷風送気部を備える。さらに、冷風送気部は、誘引気流発生機４の誘引気流吐出口４１を上下方向および横方向に調整可能に保持する誘引気流発生機保持部６を備え、送風ダクト２１の冷風吐出部３は、冷風吐出部３１の誘引気流発生機４の吸引口４２への近接および両者が向かい合うように調整可能な吐出口位置調整機能３３を備えている。
【００３３】
また、本発明の作業施設用空調システムは、図５および図６に示すような空調システム１ａであってもよい。この実施例の空調システム１ａと上述した空調システム１との相違は、このシステム１ａでは、第１の送風ダクト２１の末梢部と第２の送風ダクト２２抹消部とを接続する接続ダクト２３を備える点のみである。このような接続ダクトを設けることにより、気化放熱式冷風発生機１１，１２より送気される冷気を、第１の送風ダクト２１と第２の送風ダクト２２に良好に分配できる。さらに接続ダクト２３は、第１の送風ダクト２１と第２の送風ダクト２２と接続ダクト２３からなる管路における圧力干渉部として機能する。これより、各送風ダクト２１，２２内の圧力調整が可能となる。さらに、接続ダクト２３には、圧力調整部２４を設けてもよい。圧力調整部としては、手動にて開放可能なバルブ、送風ダクト２１，２２間の圧力差が所定以上となった場合に、開放する自動開閉バルブ、さらには、送風ダクト２１，２２間の圧力差が所定以上となった場合に、両者間を連通させる自動連通バルブなどが用いられる。
【００３４】
さらに、本発明の空調システムは、図５に示すような空調システム１ａのように、縦方向領域（縦方向通路）５３に誘引気流を送風する縦方向領域誘引気流形成部を備えていてもよい。縦方向領域誘引気流形成部は、第１の送風ダクト２１もしくは送風ダクト２２（この実施例では、送風ダクト２１）に設けられた冷風吐出部３と、冷風吐出部３の冷風吐出口付近に吸引口が位置するように配置され、冷風吐出部３より吐出する冷風を吸引し、縦方向領域を流れる縦方向領域方向誘引気流を形成させる誘引気流発生機４を備えている。冷風吐出部３および誘引気流発生機４としては、上述したものが好適に使用できる。なお、冷風吐出部３としては、吐出口位置調整機能３３を備えるものが好ましいが、備えないものであってもよい。また、縦方向領域誘引気流形成部は、誘引気流発生機４の誘引気流吐出口４１を上下方向および横方向に向き調整可能に保持する誘引気流発生機保持部６を備えていることが好ましい。具体的には、縦方向領域誘引気流形成部は、向かい合うフレーム４４間を連結するように設けられた架橋フレーム４９を備えている。そして、誘引気流発生機４が、図３に示し上述したものと同様に、架橋フレーム４９に横方向（水平方向）に調整可能（回動可能）に取り付けられている。なお、架橋フレーム４９内には、誘引気流発生機４に接続された電気ケーブル（図示せず）が収納されている。保持部６は、誘引気流発生機４を上下方向に調整可能（回動可能）に保持するコの字型の保持部材４３と締結部材４７を備えている。そして、保持部材４３の上部が、ボルト４５とナット４６によりフレーム４４に、横方向（言い換えれば、水平方向）に回動可能に保持されている。なお、ボルト４５の雄ねじを有するシャフト４５ａは、保持部材４３の内部において、ナット４６の雌ねじと螺合している。
【００３５】
また、この実施例の作業施設用空調システム１では、図８および図９に示すように、作業施設５は、向かい合う壁部間のほぼ中央上部の屋根部５６に設けられた少なくとも１つの排気装置（ルーフファン）５７を備える。なお、図８および図９に示すものでは、作業施設５は、２つの排気装置５７を備えている。また、排気装置５７は、横方向作業領域の壁部付近のほぼ真上に位置している。また、この実施例の作業施設用空調システム１では、排気装置５７に向かう排気装置方向誘因気流発生機８を備えている。特に、図示するものでは、作業施設用空調システム１は、一方側壁部付近および他方側壁付近に配置され、それぞれ排気装置５７に向かって、誘引気流８ａを発生する排気装置方向誘因気流発生機８が配置されている。この実施例では、４つの天井用の排気装置方向誘因気流発生機８を有するものとなっている。このような排気装置方向誘因気流発生機８を設けることにより、作業施設内の暖気の排気が容易なものとなる。
【００３６】
また、本発明の作業施設用空調システムは、上述のタイプのものに限定されない。
例えば、図１０に示すような、作業施設用空調システムであってもよい。
そして、この実施例の作業施設用空調システム１ｃが適用される作業施設は、一方側壁部５１と一方側壁部５１と向かい合う他方側壁部５２を備える内部空間と、内部空間内に形成された縦方向領域（縦方向通路）５３と、縦方向領域５３より側壁部方向に斜めに延びる複数の横方向領域（具体的には、斜め横方向通路）を有している。そして、縦方向領域（縦方向通路）５３は、出入り口５０より、ほぼ直線的に出入り口５０と向かい合う壁部まで延びている。そして、斜め横方向領域は、縦方向領域（縦方向通路）５３の一方の側部より、一方の壁部５１側に延びる複数の一方壁部側横方向領域（一方壁部側横方向通路）と、縦方向領域（縦方向通路）５３の他方の側部より、他方の壁部５２側に延びる複数の他方壁部側横方向領域（他方壁部側横方向通路）を有している。また、複数の一方壁部側横方向領域（一方壁部側横方向通路）は、それぞれがほぼ平行に形成されており、同様に、複数の他方壁部側横方向領域（他方壁部側横方向通路）も、それぞれがほぼ平行に形成されている。
【００３７】
そして、この実施例の空調システム１ｃでは、上記の斜め横方向領域（斜め横方向通路）の形態に対応している。具体的には、空調システム１ｃは、他方側壁部方向冷風送気部の冷風吐出部３の冷風吐出口３１が、送風ダクト２１に対して斜めかつ若干出入り口側を向くように調整されており、同様に、誘引気流発生機４の吸引口４２および吐出口４１もフレーム４４（送風ダクト２１）に対して斜めかつ若干出入り口側を向くように調整されている。また、一方側壁部方向冷風送気部の冷風吐出部３の冷風吐出口３１が、送風ダクト２１に対して斜めかつ若干奥側（出入り口側と反対側）を向くように調整されており、同様に、誘引気流発生機４の吸引口４２および吐出口４１もフレーム４４（送風ダクト２１）に対して斜めかつ奥側（出入り口側と反対側）を向くように調整されている。そして、この実施例の空調システム１ｃにおいても、一方側壁部方向冷風送気部の誘引気流発生機４の気流吐出口４１より吐出され、斜め横方向領域を流れる一方側壁部方向気流７２と、他方側壁部方向冷風送気部の誘引気流発生機４の気流吐出口４１より吐出され、斜め横方向領域を流れる他方側壁部方向気流７１とが、実質的に当接しないように各誘引気流発生機の気流吐出口の向きが調整されている。
【符号の説明】
【００３８】
１，１ａ，１ｂ，１ｃ，１ｄ  作業施設用空調システム
１１，１２  冷風発生機
２１，２２  送風ダクト
３  冷風吐出部
４  誘引気流発生機
【図１】
2015021689.tif 000003
【図２】
2015021689.tif 000004
【図３】
2015021689.tif 000005
【図４】
2015021689.tif 000006
【図５】
2015021689.tif 000007
【図６】
2015021689.tif 000008
【図７】
2015021689.tif 000009
【図８】
2015021689.tif 000010
【図９】
2015021689.tif 000011
【図１０】
2015021689.tif 000012
【図１１】
2015021689.tif 000013
【図１２】
2015021689.tif 000014